(57)【要約】【課題】スキーは雪面を滑走するよう構成され、スキー場に用意された傾斜面を滑走したり、丘陵を走行する状態で使用されているが、他のスポーツに比べて体力増進などに役立つ運動として充分であるかは疑問があるなどの問題点を有していた。【解決手段】運動具本体３と駆動部４と押し棒５から構成され、運動具本体３は、スキー状ケース部３Ａと走行部３Ｂとスキーブーツ支持金具３Ｃからなり、走行部はスキー状ケース部の下面においてクローラベルトが前後方向に移動するよう構成され、スキーブーツ支持金具はスキー状ケース部の上面に取付けられ、駆動部４は歯車群がクローラベルトとピニオンを作動させ、ラック部はピニオンとかみ合った状態で移動するよう構成され、押し棒５は押し棒本体５Ａと当該押し棒本体の下端に設けた自在継手５Ｂを介してラックの先端に連結されている。【選択図】        図１
2004344315.tif 000002
【特許請求の範囲】
【請求項１】
左右のスキー様運動具単体（２、２Ａ）から構成された左のスキー様運動具単体（２）において、左のスキー様運動具単体（２）は、運動具本体（３）と、駆動部（４）と、押し棒（５）から構成され、
運動具本体（３）は、スキー状ケース部（３Ａ）と、走行部（３Ｂ）と、スキーブーツ支持金具（３Ｃ）からなり、走行部はスキー状ケース部の下面においてクローラベルトが露出する状態で前後方向に移動するよう構成され、スキーブーツ支持金具はスキー状ケース部の上面の所定箇所に取付けられ、
駆動部（４）は、機械室部（４Ａ）と、歯車群（４Ｂ）と、ピニオン（４Ｃ）と、ラック部（４Ｄ）からなり、機械室部内の歯車群はクローラベルトとピニオンを作動させるよう構成され、ラック部は、ラック用ガイド内のラックがピニオンとかみ合った状態で一定範囲内で前後方向に移動するよう構成され、
押し棒（５）は、所定長さの押し棒本体（５Ａ）と当該押し棒本体の下端に設けた自在継手（５Ｂ）を介してラックの先端に連結されていることを特徴とするスキー様運動具。
【請求項２】
左右のスキー様運動具単体（２、２Ａ）から構成された左のスキー様運動具単体（２）において、左のスキー様運動具単体（２）は、運動具本体（３）と、駆動部（４）と、押し棒（５）から構成され、
運動具本体（３）は、スキー状ケース部（３Ａ）と、走行部（３Ｂ）と、スキーブーツ支持金具（３Ｃ）から構成され、
スキー状ケース部（３Ａ）は、所定幅を有した前後方向に長い下面板（３Ａ１）と、下面板の左右辺に沿って起立連設された左右の低い側面板（３Ａ２）と、左右の低い側面板の上面に張設された所定幅を有した前後方向に長い上面板（３Ａ３）から構成され、スキーのトップに相当する前方部分（３Ａ４）は少し上方に向け反った状態に構成されていると共に、下面板（３Ａｌ）には前方部分（３Ａ４）と後端部分（３Ａ５）を除いて当該下面板の長手方向をもって前後に長い開口部（３Ａ６）が開口され、
走行部（３Ｂ）は、スキー状ケース部（３Ａ）内の後方位置に、当該スキー状ケース部の長手方向と直交方向をもって回転自在に支持された駆動ローラ（３Ｂ１）と、スキー状ケース部（３Ａ）内の前方位置に、当該スキー状ケース部の長手方向と直交方向をもって回転自在に支持された従動ローラ（３Ｂ２）と、駆動ローラ（３Ｂｌ）と従動ローラ（３Ｂ２）に掛回されたクローラベルト（３Ｂ３）と、クローラベルト（３Ｂ３）を開口部（３Ａ６）より下方に露出させる適数個のテンションローラ（３Ｂ４）から構成され、
スキーブーツ支持金具（３Ｃ）は、スキーブーツ（３Ｃ１）の前端のみを着脱自在に支持するよう構成され、スキー状ケ一ス部（３Ａ）における上面板（３Ａ３）のほぼ中央位置に取付けられ、
駆動部（４）は、機械室部（４Ａ）と、歯車群（４Ｂ）と、ピニオン（４Ｃ）と、ラック部（４Ｄ）から構成され、
機械室部（４Ａ）は、スキー状ケース部（３Ａ）における左側後方位置に外方に向け平面略コ字状に形成した機械室（４Ａｌ）と、この機械室の開口部に着脱自在に取付けられた蓋（４Ａ２）から構成され、
歯車群（４Ｂ）は、駆動ローラ（３Ｂｌ）の軸に連結されたワンウエイクラッチ付きギヤ（４Ｂｌ）と、ワンウエイクラッチ付きギヤの前方側に連結された第１ギヤ（４Ｂ２）、第２ギヤ（４Ｂ３）から構成され、
ピニオン（４Ｃ）は、歯車群（４Ｂ）における第２ギヤ（４Ｂ３）の前方側に連結され、
ラック部（４Ｄ）は、ラック用ガイド（４Ｄ１）とラック（４Ｄ２）とストッパ（４Ｄ３）から構成され、ラック用ガイド（４Ｄｌ）は、機械室部（４Ａ）の上面に添着された下向き略コ字状のガイド枠（４Ｄｌｌ）と、ガイド枠の上面に前後方向をもって刻設されたガイド溝（４Ｄｌ２）から構成され、ラック（４Ｄ２）は、ピニオン（４Ｃ）とかみ合った状態でラック用ガイド（４Ｄ１）内に装着され、ストッパ（４Ｄ３）は、ラック用ガイド（４Ｄ１）の先端より所定間隔をもってスキー状ケース部（３Ａ）における上面板（３Ａ３）に突設され、
押し棒（５）は、所定長さの押し棒本体（５Ａ）と当該押し棒本体の下端に設けた自在継手（５Ｂ）を介してラック（４Ｄ２）の先端に連結されていることを特徴とするスキー様運動具。
【請求項３】
請求項２記載のスキー様運動具において、押し棒（５）と自在継手（５Ｂ）とは、着脱自在に構成されていることを特徴とするスキー様運動具。
【発明の詳細な説明】
【０００１】
【発明の属する技術分野】
本発明は、新規な構成を有するスキー様運動具に関するものである。
【０００２】
【従来の技術】
従来のスキーは、下記のように構成されている。
雪面を滑走するよう構成されている。
そして、その使用方法はスキー場に用意された傾斜面を滑走したり、丘陵を走行する状態で使用されている。
【０００３】
【発明が解決しようとする課題】
従来の技術で述べたものにあっては、下記のような問題点を有していた。
上述した使用状態では、他のスポーツに比べて体力増進などに役立つ運動として充分であるかは疑問がある。
すなわち、傾斜面を滑走する場合は、現在ではスキー場で用意されているスキーリフトに乗り傾斜面の上方まで登り、そこから滑降することを繰り返している。
また、丘陵を走行する場合は、競技する場合を別として、一般的には雪面をゆっくり滑る状態で移動している。
このような状態では、体力を鍛えると云う目的を充分果たしているとは云いがたい。
また、積雪地方でしか使用できない。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、左右のスキー様運動具単体２、２Ａから構成された左のスキー様運動具単体２において、左のスキー様運動具単体２は、運動具本体３と、駆動部４と、押し棒５から構成され、
運動具本体３は、スキー状ケース部３Ａと、走行部３Ｂと、スキーブーツ支持金具３Ｃからなり、走行部はスキー状ケース部の下面においてクローラベルトが露出する状態で前後方向に移動するよう構成され、スキーブーツ支持金具はスキー状ケース部の上面の所定箇所に取付けられ、
駆動部４は、機械室部４Ａと、歯車群４Ｂと、ピニオン４Ｃと、ラック部４Ｄからなり、機械室部内の歯車群はクローラベルトとピニオンを作動させるよう構成され、ラック部は、ラック用ガイド内のラックがピニオンとかみ合った状態で一定範囲内で前後方向に移動するよう構成され、
押し棒５は、所定長さの押し棒本体５Ａと当該押し棒本体の下端に設けた自在継手５Ｂを介してラックの先端に連結されていることを特徴とするものである。
【０００６】
請求項２記載の発明は、左右のスキー様運動具単体２、２Ａから構成された左のスキー様運動具単体２において、左のスキー様運動具単体２は、運動具本体３と、駆動部４と、押し棒５から構成され、
Ａ．運動具本体３は、スキー状ケース部３Ａと、走行部３Ｂと、スキーブーツ支持金具３Ｃから構成され、
ａ．スキー状ケース部３Ａは、所定幅を有した前後方向に長い下面板３Ａ１と、下面板の左右辺に沿って起立連設された左右の低い側面板３Ａ２と、左右の低い側面板の上面に張設された所定幅を有した前後方向に長い上面板３Ａ３から構成され、スキーのトップに相当する前方部分３Ａ４は少し上方に向け反った状態に構成されていると共に、下面板３Ａｌには前方部分３Ａ４と後端部分３Ａ５を除いて当該下面板の長手方向をもって前後に長い開口部３Ａ６が開口され、
ｂ．走行部３Ｂは、スキー状ケース部３Ａ内の後方位置に、当該スキー状ケース部の長手方向と直交方向をもって回転自在に支持された駆動ローラ３Ｂ１と、スキー状ケース部３Ａ内の前方位置に、当該スキー状ケース部の長手方向と直交方向をもって回転自在に支持された従動ローラ３Ｂ２と、駆動ローラ３Ｂｌと従動ローラ３Ｂ２に掛回されたクローラベルト３Ｂ３と、クローラベルト３Ｂ３を開口部３Ａ６より下方に露出させる適数個のテンションローラ３Ｂ４から構成され、
ｃ．スキーブーツ支持金具３Ｃは、スキーブーツ３Ｃ１の前端のみを着脱自在に支持するよう構成され、スキー状ケ一ス部３Ａにおける上面板３Ａ３のほぼ中央位置に取付けられ、
Ｂ．駆動部４は、機械室部４Ａと、歯車群４Ｂと、ピニオン４Ｃと、ラック部４Ｄから構成され、
ａ．機械室部４Ａは、スキー状ケース部３Ａにおける左側後方位置に外方に向け平面略コ字状に形成した機械室４Ａｌと、この機械室の開口部に着脱自在に取付けられた蓋４Ａ２から構成され、
ｂ．歯車群４Ｂは、駆動ローラ３Ｂｌの軸に連結されたワンウエイクラッチ付きギヤ４Ｂｌと、ワンウエイクラッチ付きギヤの前方側に連結された第１ギヤ４Ｂ２、第２ギヤ４Ｂ３から構成され、
ｃ．ピニオン４Ｃは、歯車群４Ｂにおける第２ギヤ４Ｂ３の前方側に連結され、
ｄ．ラック部４Ｄは、ラック用ガイド４Ｄ１とラック４Ｄ２とストッパ４Ｄ３から構成され、ラック用ガイド４Ｄｌは、機械室部４Ａの上面に添着された下向き略コ字状のガイド枠４Ｄｌｌと、ガイド枠の上面に前後方向をもって刻設されたガイド溝４Ｄｌ２から構成され、ラック４Ｄ２は、ピニオン４Ｃとかみ合った状態でラック用ガイド４Ｄ１内に装着され、ストッパ４Ｄ３は、ラック用ガイド４Ｄ１の先端より所定間隔をもってスキー状ケース部３Ａにおける上面板３Ａ３に突設され、
Ｃ．押し棒５は、所定長さの押し棒本体５Ａと当該押し棒本体の下端に設けた自在継手５Ｂを介してラック４Ｄ２の先端に連結されていることを特徴とするものである。
【０００７】
請求項３記載の発明は、請求項２記載の発明において、押し棒５と自在継手５Ｂとは、着脱自在に構成されていることを特徴とするものである。
【０００８】
【発明の実施の形態】
本発明の実施の形態を実施例にもとづき図面を参照して説明する。
１は本発明のスキー様運動具で、左右のスキー様運動具単体２、２Ａから構成されている。
左右のスキー様運動具単体２、２Ａは、対称的な構造に構成されているので、左のスキー様運動具単体２を例にして説明する。
【０００９】
左のスキー様運動具単体２は、運動具本体３と、駆動部４と、押し棒５から構成されている。
【００１０】
Ａ．運動具本体３は、スキー状ケース部３Ａと、走行部３Ｂと、スキーブーツ支持金具３Ｃから構成されている。
ａ．スキー状ケース部３Ａは、所定幅を有した前後方向に長い下面板３Ａ１と、下面板の左右辺に沿って起立連設された左右の低い側面板３Ａ２と、左右の低い側面板の上面に張設された所定幅を有した前後方向に長い上面板３Ａ３から構成され、スキーのトップに相当する前方部分３Ａ４は少し上方に向け反った状態に構成されていると共に、下面板３Ａｌには前方部分３Ａ４と後端部分３Ａ５を除いて当該下面板の長手方向をもって前後に長い開口部３Ａ６が開口されている。
ｂ．走行部３Ｂは、スキー状ケース部３Ａ内の後方位置に、当該スキー状ケース部の長手方向と直交方向をもって回転自在に支持された駆動ローラ３Ｂ１と、スキー状ケース部３Ａ内の前方位置に、当該スキー状ケース部の長手方向と直交方向をもって回転自在に支持された従動ローラ３Ｂ２と、駆動ローラ３Ｂｌと従動ローラ３Ｂ２に掛回されたクローラベルト３Ｂ３と、クローラベルト３Ｂ３を開口部３Ａ６より下方に露出させる適数個のテンションローラ３Ｂ４から構成されている。
３Ｂ３１は突条、３Ｂ３２は滑止め用凹凸面である。
ｃ．スキーブーツ支持金具３Ｃは、スキーブーツ３Ｃ１の前端のみを着脱自在に支持するよう構成され、スキー状ケ一ス部３Ａにおける上面板３Ａ３のほぼ中央位置に取付けられている。
なお、スキーブーツ支持金具３Ｃは、レース用のスキーに一般的に使用されている公知のものである。
【００１１】
Ｂ．駆動部４は、機械室部４Ａと、歯車群４Ｂと、ピニオン４Ｃと、ラック部４Ｄから構成されている。
ａ．機械室部４Ａは、スキー状ケース部３Ａにおける左側後方位置に外方に向け平面略コ字状に形成した機械室４Ａｌと、この機械室の開口部に着脱自在に取付けられた蓋４Ａ２から構成されている。
ｂ．歯車群４Ｂは、駆動ローラ３Ｂｌの軸に連結されたワンウエイクラッチ付きギヤ４Ｂｌと、ワンウエイクラッチ付きギヤの前方側に連結された第１ギヤ４Ｂ２、第２ギヤ４Ｂ３から構成されている。
この場合、後述のピニオンによって、第２ギヤ４Ｂ３を側面逆時計方向へ、第１ギヤ４Ｂ２を側面時計方向へ、ワンウエイクラッチ付きギヤ４Ｂｌを側面逆時計方向へ回転するよう構成されている。
ｃ．ピニオン４Ｃは、歯車群４Ｂにおける第２ギヤ４Ｂ３の前方側に連結されている。
ｄ．ラック部４Ｄは、ラック用ガイド４Ｄ１とラック４Ｄ２とストッパ４Ｄ３から構成されている。
ｄ１．ラック用ガイド４Ｄｌは、機械室部４Ａの上面に添着された下向き略コ字状のガイド枠４Ｄｌｌと、ガイド枠の上面に前後方向をもって刻設されたガイド溝４Ｄｌ２から構成されている。
ｄ２．ラック４Ｄ２は、ピニオン４Ｃとかみ合った状態でラック用ガイド４Ｄ１内に装着されている。
ｄ３．ストッパ４Ｄ３は、ラック用ガイド４Ｄ１の先端より所定間隔をもってスキー状ケース部３Ａにおける上面板３Ａ３に突設されている。
このストッパ４Ｄ３に前進するラック４Ｄ２が当接し停止することになる。
【００１２】
Ｃ．押し棒５は、所定長さの押し棒本体５Ａと当該押し棒本体の下端に設けた自在継手５Ｂを介してラック４Ｄ２の先端に連結されている。
Ｄ．押し棒５については下記のように構成すると、必要に応じて押し棒５をラック４Ｄ２から分離できるので、運搬、格納などに便利である。
図１１を参照して、自在継手５Ｂの上端に受け５Ｃを設け、この受けに押し棒５の下端をネジ込んで連結する。
図１２を参照して、自在継手５Ｂの上端に第１種受け５Ｄを設け、この受けに押し棒５の下端を挿入したのち、ピン５Ｄ１を貫入して連結する。
【００１３】
【発明の効果】
本発明は、上述の通り構成されているので次に記載する効果を奏する。
１．図１を参照して、公知のスキーのように左右のスキー様運動具単体２、２Ａを装着する。
左右の押し棒５を支持して、当該左右の押し棒を交互に後方へ押しやる。
すなわち、左右の押し棒を交互に後方へ押したのち、前方に引くという動作を続ける。
押し棒５を後方へ押すとラック部４Ｄは後方へ移動し、ピニオン４Ｃ、第２ギヤ４Ｂ３、第１ギヤ４Ｂ２、ワンウエイクラッチ付きギヤ４Ｂ１を回転させる。
この結果、駆動ローラ３Ｂｌが回転しクローラベルト３Ｂ３が移動するので、左右のスキー様運動具単体２、２Ａは相互に前進することになる。
この場合、左右の押し棒５を前方に引いた場合、ワンウエイクラッチ付きギヤが設けられているので、クローラベルト３Ｂ３は静止している。
しかし、左右の押し棒を後方に押すと、ワンウエイクラッチ付きギヤは作動して前進する。
２．このような運動は単に腕のみの動きのみでなく、足も意識的に動かす運動と連動することになるので全身運動となる。
３．雪面で使用することができるが、雪のない路面でも使用することができる。
４．このほか、安価に製造できる、組立が容易である。経済的である、などの効果をも有するものである。
【図面の簡単な説明】
【図１】スキー様運動具の使用状態の左側面図である。
【図２】左のスキー様運動具単体の斜視図である。
【図３】同上の下方から見た斜視図である。
【図４】運動具本体の要部拡大縦断面図である。
【図５】駆動ローラとクローラベルトの関係を説明する要部拡大斜視図である。
【図６】図２における要部拡大斜視図である。
【図７】同上の一部を切欠いた説明図である。
【図８】駆動部を中心に一部を切欠いた拡大左側面図である。
【図９】同上の一部を切欠いた平面図である。
【図１０】Ａ−Ａ線断面図である。
【図１１】押し棒の他の実施例の一部を切欠いた斜視図である。
【図１２】押し棒の他の実施例の一部を切欠いた斜視図である。
【図１３】右のスキー様運動具単体の斜視図である。
【符号の説明】
１  スキー様運動具
２  左のスキー様運動具単体
２Ａ  右のスキー様運動具単体
３  運動具本体
４  駆動部
５  押し棒
【図１】
2004344315.tif 000003
【図２】
2004344315.tif 000004
【図３】
2004344315.tif 000005
【図４】
2004344315.tif 000006
【図５】
2004344315.tif 000007
【図６】
2004344315.tif 000008
【図７】
2004344315.tif 000009
【図８】
2004344315.tif 000010
【図９】
2004344315.tif 000011
【図１０】
2004344315.tif 000012
【図１１】
2004344315.tif 000013
【図１２】
2004344315.tif 000014
【図１３】
2004344315.tif 000015